(57)【特許請求の範囲】
【請求項１】
時刻を計時する時計手段と、
時刻を変更するための時刻変更手段と、
該時刻変更手段の入力に応じて前記時計手段の時刻を変更させる制御手段と、
予約時刻を設定することを入力する予約時刻設定入力手段と、を備え、
前記制御手段は、調理の開始または完了の予約時刻を設定するための予約時刻設定モードと、現在時刻を設定するための現在時刻設定モードとを有し、
予約時刻設定モードの非動作時には、前記時刻変更手段が所定の時間内に２回以上の所定回数入力された場合に現在時刻設定モードへ移行し、前記時刻変更手段の入力に応じて現在時刻が変更され、
前記予約時刻設定入力手段が入力されると、予約時刻設定モードに移行し、前記時刻変更手段の入力に応じて予約時刻が変更されることを特徴とする調理器。
【請求項２】
前記時刻変更手段は複数のキーから構成され、前記複数のキーの内、いずれかの同一キーが所定時間内に２回以上の所定回数操作されたときに、現在時刻設定モードに移行されることを特徴とする請求項１記載の調理器。
【請求項３】
音による報知手段を備え、
前記時刻変更手段の入力操作に応答して前記報知手段に報知音を発音させると共に、
前記現在時刻設定モードに移行した際に発音される報知音と、他の入力操作に伴う報知音が、異なるようにしたことを特徴とする請求項１または２に記載の調理器。
【発明の詳細な説明】
【０００１】
【発明の属する技術分野】
本発明は、時計機能を内蔵する調理器における時刻設定制御に関するものである。
【０００２】
【従来の技術】
従来、時計機能を内蔵する調理器は、時刻入力キーが押されると、現在時刻が変更可能な状態になり、さらに押されると、時刻が変更されていた。このため、拭き掃除などの手入れの際に、誤って時刻入力キーに触れて現在時刻を変更可能な状態にしてしまい、さらに触れて誤った時刻に変更してしまうという問題が起きていた。このような問題を解決するために、例えば特許公報第２６４３２８１号に示すような発明がなされていた。図９、１０は、それぞれこの特許公報に記載されている時刻設定装置を具備した調理器の制御ブロック図とフローチャート図である。
【０００３】
これら図をもとに従来の時刻設定装置を具備した調理器における時刻設定の動作を説明する。
図９において制御の中心となるマイクロコンピュータ１１７は、入出力として、時桁を設定する時キー１１１と分桁を設定する分キー１１２からなる時刻設定キー１１３と、調理などの選択をする調理選択キー１１４と、時計を進める基となるクロック発生部１１５と、時刻を表示する表示部１１６とを備えている。
【０００４】
また、マイクロコンピュータ１１７の内部は、時刻設定キー１１３や調理選択キー１１４が押されたかどうか、押された状態か離されているか等の判定をするキー入力判定部１１８があり、その判定に基づいて、時刻設定キー１１３が押され続けている時間を計測する入力継続カウンタ（Ｍ１）１１９と、押されていた時刻設定キー１１３が離された時を起点として経過時間を計測する無入力継続カウンタ（Ｍ２）１２０とが制御されている。
これにより時刻設定キー１１３が押され始めてｔ１時間（例えば１秒）後に時刻カウンタ１２１の時間を設定することができると共に、このキーが離されていても、ｔ２時間（例えば４秒）経過するまでの間であれば、ｔ１時間を待たずに、時刻カウンタ１２１の時間設定を受付けることができる。なお、これらのカウンターのクロックは、クロック発生部１１５からの入力を分周して使う入力部１２２によって管理されている。
【０００５】
図１０は、このような時刻設定制御を実現するためのフローの要部を示したものである。
図において初めて時刻入力キーが押された場合は、ステップ１０１のキー入力有から（１）へ、次にステップ１０２から（２）へ行き、設定中フラグ（設定中Ｆ）も開始フラグ（開始Ｆ）とも“０”のため、ステップ１０３、１０４を経て（３）へ分岐し、ステップ１０５で開始Ｆを“１”にまたステップ１０６で入力継続カウンタ(Ｍ１)を１秒設定する。
【０００６】
この後１秒間キー入力が継続した場合、ステップ１０３から（４）へ分岐し、ステップ１０７で時計カウンタ９を再設定し、ステップ１０８で設定中Ｆを、“１”に、また開始Ｆを“０”にし、次にステップ１０９で無入力継続カウンタ(Ｍ２)に４秒を設定する。その後、このキー入力が無くなった時も、ステップ１０１から（５）へ分岐し、ステップ１１０で無入力継続カウンタ（Ｍ２）が０と判断するまで、つまり４秒間は設定中Ｆを“０”にしないため、再度時刻入力キーが押された場合でもステップ１０１、１０２を経て（１）から（２）へ分岐し、すぐに設定中Ｆが“１”のためステップ１０３で（４）へ分岐してすぐに再設定ができるようになっている。
【０００７】
このように、時刻設定に際し、最初にキーをｔ1時間（例えば１秒）だけ押し続け、その後はｔ２時間（例えば４秒）内であれば、キーを押す度に時刻が設定できるように構成したので、通常の拭き掃除のように、何度か誤って時刻設定キーに触れてしまうというレベルの時刻の誤設定は起こらなくなる。
【０００８】
【発明が解決しようとする課題】
従来の調理器は、以上のように構成されており、最初に時刻設定キーをｔ1時間（例えば１秒）以上押し続ける必要があり、設定に時間を要し、かつ操作しにくいといった課題があった。
【０００９】
本発明は、係る課題を解決するためになされたもので、掃除などの誤操作による現在時刻の変更が起こりにくく、かつ時刻変更が短時間で済み、操作し易い調理器を得ることを目的としている。
【００１０】
【課題を解決するための手段】
本発明に係る調理器は、時刻を計時する時計手段と、時刻を変更するための時刻変更手段と、時刻変更手段の入力に応じて時計手段の時刻を変更させる制御手段と、予約時刻を設定することを入力する予約時刻設定入力手段と、を備え、制御手段は、調理の開始または完了の予約時刻を設定するための予約時刻設定モードと、現在時刻を設定するための現在時刻設定モードとを有し、予約時刻設定モードが非動作時には、時刻変更手段が所定の時間内に２回以上の所定回数入力された場合に現在時刻設定モードへ移行し、時刻変更手段の入力に応じて現在時刻が変更され、予約時刻設定入力手段が入力されると、予約時刻設定モードに移行し、時刻変更手段の入力に応じて予約時刻が変更されるように構成したものである。
【００１１】
また、時刻変更手段は複数のキーから構成され、複数のキーの内、いずれかの同一キーが所定時間内に２回以上の所定回数操作されたときに、現在時刻設定モードに移行されるように構成したものである。
【００１２】
また、音による報知手段を備え、時刻変更手段の入力操作に応答して前記報知手段に報知音を発音させると共に、現在時刻設定モードに移行した際に発音される報知音と、他の入力操作に伴う報知音が、異なるように構成したものである。
【００１３】
【発明の実施の形態】
実施の形態１．
以下、調理器として炊飯器を例に取り上げ、本発明の実施の形態について説明する。
図１は本発明の実施の形態１に係る炊飯器の横断面図、図２はこの炊飯器の操作パネルを示す図、図３はこの炊飯器の制御ブロック図、図４はこの炊飯器の動作を示すフローチャート図である。
【００１４】
図１において１は炊飯器本体、２は炊飯器本体１に着脱自在に装着され、米、水等を収容する鍋、３は鍋２を加熱する加熱手段であるヒータ、４は炊飯器本体１の上部開口を開閉する蓋、５は鍋２の温度を検出する温度センサ、６は炊飯器本体１の外周部に設けられた操作パネルである。
【００１５】
また、図２に示すように操作パネル６は、時刻の時桁を変更する時キー７と、時刻の分桁を変更する分キー８と、予約時刻設定手段の動作を開始させる予約キー９と、予約時刻設定手段が動作中に操作すると予約動作を開始し、非動作中に操作すると炊飯動作を開始する炊飯キー１０と、予約動作や炊飯動作を取り消す取消キー１１と、予約時刻設定手段の動作中には「予約」の文字及び予約時刻を表示し、それ以外は現在時刻を表示する液晶表示器１２と、炊飯動作中に点灯する炊飯ＬＥＤ１３と、予約動作中に点灯する予約ＬＥＤ１４とから構成されている。
【００１６】
また、図３に示すように制御手段１５は、現在時刻設定手段１８と、予約時刻設定手段１９と、設定された予約時刻を記憶する予約時刻記憶手段２０とを備えており、時キー７、分キー８、予約キー９、炊飯キー１０、取消キー１１によるキー操作と、温度検出手段１６を介して得られた温度センサ５の信号をもとに、液晶表示器１２、炊飯ＬＥＤ１３、予約ＬＥＤ１４に対する制御信号と、加熱制御手段１７に対する制御信号を出力する。
【００１７】
次に図４に示すフロ−チャートをもとに動作を説明する。
炊飯器の電源を投入すると、メインルーチンＡの制御がスタートし（ステップＳ１）、フラグＦを０に設定し（ステップＳ２）、炊飯キー１０のＯＮ／ＯＦＦが判定される（ステップＳ３）。ここでフラグＦは所定時間内に時キー７または分キー８が押されていたかどうかを判定するための目印である。
炊飯キー１０がＯＮの場合は、炊飯動作がスタートし（ステップＳ４）、制御手段１５は炊飯ＬＥＤ１３を点灯すると共に、温度検出手段１６の信号に基づいて加熱制御手段１７を制御して炊飯を実行する（図示せず）。
一方、炊飯キー１０がＯＦＦの場合は、次の予約キー９のＯＮ／ＯＦＦが判定される（ステップＳ５）。
予約キー９がＯＮの場合には、ステップＳ２１から始まる別ルーチンで構成される予約時刻セットルーチンＢへと移行する。
【００１８】
予約時刻セットルーチンＢでは、まず予約時刻記憶手段２０に記憶されている予約時刻を呼び出す（ステップＳ２２）。
予約時刻は初期設定で例えば６：００に設定されており、初めて予約設定を行う場合、予約時刻は６：００から開始される。このとき液晶表示器１２には「予約」の文字と予約時刻である６：００が表示される。
次に、時キー７のＯＮ／ＯＦＦが判定され（ステップＳ２３）、時キー７がＯＮの場合は、時桁に１を加算して予約時刻は７：００となり、液晶表示器１２の時刻表示は７：００となる（ステップＳ２４）。
次に、分キー８のＯＮ／ＯＦＦが判定され（ステップＳ２５）、分キー８がＯＮの場合は、分桁に１０を加算して予約時刻は７：１０となり、液晶表示器１２の時刻表示は７：１０となる（ステップＳ２６）。
このように分桁は１０ずつ加算するため、予約の時刻設定は１０分単位で設定され操作回数を減らすことができる。なお、時桁は２３を超えると０に、分桁は５９を超えると０に自動的に設定変更される（図示せず）。
以上のようにして上記ステップＳ２３からステップＳ２６を繰り返し行い、所望の予約時刻が設定される。
【００１９】
予約時刻の設定を中止する場合、あるいは予約時刻の設定を間違えた場合は、取消キー１１が押される。
この場合、取消キー１１のＯＮ／ＯＦＦが判定され（ステップＳ２７）、取消キー１１がＯＮであれば、メインルーチンＡへ戻る。このとき予約時刻記憶手段２０に記憶されている予約時刻は変更されないため、変更前の予約時刻は保持される。
【００２０】
一方、取消キー１１がＯＦＦであれば、炊飯キー１０のＯＮ／ＯＦＦが判定され（ステップＳ２８）、炊飯キー１０がＯＦＦの場合は、ステップＳ２３に戻って一連の工程が繰り返される。また、炊飯キー１０がＯＮの場合は、設定された予約時刻を予約時刻記憶手段２０に記憶する（ステップＳ２９）。これにより次回予約時刻を設定する時は、前回設定した予約時刻を呼び出すことができるので、予約時刻を同じ時刻に設定する操作が簡単になる。次に予約動作がスタートし（ステップＳ３０）、制御手段予約ＬＥＤ１４を点灯すると共に、所定の炊飯時間（例えば５０分）を予約時刻から減算し、炊飯を開始すべき時刻を求める。そして、これが炊飯開始の時刻として現在時刻と一致した時点で、炊飯動作をスタートし、予約時刻に飯が炊きあがるように制御する。
【００２１】
次にメインルーチンＡのステップＳ５に戻り、予約キー９がＯＦＦの場合から後の工程について説明する。
即ち、ステップＳ５において予約キー９がＯＦＦの場合、時キー７または分キー８のＯＮ／ＯＦＦが判定される（ステップＳ６）。時キー７または分キー８がＯＮの場合、フラグＦが１であるかどうかが判定される（ステップＳ７）。この場合、フラグＦは０であるため、次のステップＳ８へ進み、タイマＴ１を０に設定する（ステップＳ８）と共に、フラグＦを１に設定する（ステップＳ９）。次に、タイマＴ１が例えば２秒以上であるかどうかが判定され（ステップＳ１０）、２秒未満の場合は、ステップＳ３に戻って一連の工程を繰り返す。一方、ステップＳ７においてフラグＦが１である場合は、ステップＳ４１の現在時刻設定ルーチンＣへと移行する。
なお、時キー７または分キー８が再度ＯＮされない（再入力が無い）場合は、ステップＳ３からステップＳ１０の一連の工程が繰り返され、タイマＴ１が２秒以上であるかどうかが判定され（ステップＳ１０）、２秒以上であればフラグＦは０に戻され（ステップＳ１１）、時キー７または分キー８の入力は無効とされる。
このように時キー７または分キー８が２秒以内に２回入力されたときに現在時刻設定が開始される。
【００２２】
現在時刻設定ルーチンＣでは、まずタイマＴ２を０に設定し（ステップＳ４２）、次に時キー７のＯＮ／ＯＦＦが判定され（ステップＳ４３）、分キー８のＯＮ／ＯＦＦが判定される（ステップＳ４５）。
時キー７がＯＮの場合、時桁に１が加算され（ステップＳ４４）、分キー８がＯＮの場合、分桁に１が加算される（ステップＳ４６）ことで現在時刻の変更が行われる。この場合、ステップＳ４２に戻り、タイマＴ２は再び０に設定される。なお、時桁は２３を超えると０に、分桁は５９を超えると０に自動的に設定変更される（図示せず）。
また、タイマＴ２が例えば５秒以上であるかどうかが判定され（ステップＳ４７）、５秒未満であれば、ステップＳ４３に戻され、５秒以上の場合はメインルーチンＡへ移行する。これにより時キー７または分キー８の入力が無くなった（ＯＮされなくなった）後、５秒を経過すると自動的に現在時刻設定を終了することができる。
【００２３】
以上のように、この実施の形態１では、時キー７または分キー８を２秒以内に２回操作されたときに現在時刻を設定するようにしたため、拭き掃除などの手入れの際に誤って操作されても現在時刻の設定が行われず、またキーを押し続けることなくなって操作時間が短くなり、さらに時刻を変更する際には少ない操作回数で変更でき、操作性に優れた調理器を得ることができる。
【００２４】
実施の形態２．
図５は本発明の実施の形態２に係る炊飯器の動作を示すフローチャート図である。図において炊飯器に電源を投入することによりメインルーチンＤがスタートし（ステップＳ５１）、フラグＦＪとフラグＦＦが０に設定される（ステップＳ５２、Ｓ５３）。ここでフラグＦＪとフラグＦＦは、それぞれ時キー７、分キー８が所定時間内に押されたかどうかを判定するための目印である。
次に炊飯キー１０のＯＮ／ＯＦＦが判定され（ステップＳ５４）、炊飯キー１０がＯＮの場合には、炊飯動作がスタートし（ステップＳ５５）、制御手段１５は炊飯ＬＥＤ１３を点灯すると共に、温度検出手段１６の信号に基づいて加熱制御手段１７を制御して炊飯を実行する（図示せず）。
また、炊飯キーがＯＦＦの場合は、予約キー９のＯＮ／ＯＦＦが判定され（ステップＳ５６）、予約キー９がＯＮの場合、ステップＳ２１から始まる別ルーチンで構成される予約時刻セットルーチンＢへ移行する。この予約時刻セットルーチンＢは実施の形態１と同じものであるので説明を省略する。
【００２５】
一方、予約キー９がＯＦＦの場合は、時キー７のＯＮ／ＯＦＦが判定される（ステップＳ５７）。時キー７入力がＯＮの場合は、フラグＦＪが１であるかどうかが判定される（ステップＳ５８）。この場合、フラグは０であるため、ステップＳ５９に進み、タイマＴ１を０に設定すると共に、フラグＦＪを１に設定する（ステップＳ６０）。フラグＦＪを１に設定した後、フラグＦＦを０に設定する（ステップＳ６１）が、これにより過去に分キー８の入力があった場合には分キー８の履歴が消去される。
同様に次のステップＳ６２〜ステップＳ６６では、分キー８の入力による処理が行われる。すなわち、分キー８のＯＮ／ＯＦＦが判定され（ステップＳ６２）、分キー８がＯＮの場合、フラグＦＦが１であるかどうかが判定される（ステップＳ６３）。ここでは、フラグは０であるため、ステップＳ６４に進み、タイマＴ１を０に設定すると共に、フラグＦＦを１に設定する（ステップＳ６５）。フラグＦＦを１に設定した後、フラグＦＪを０に設定する（ステップＳ６６）が、これにより過去に時キー７の入力があった場合には、時キー７の履歴が消去される。
【００２６】
ここで、時キー７の入力ＯＮが連続して行われた場合は、ステップＳ５８でフラグＦＪは１となっているためステップＳ４１の現在時刻設定ルーチンＣに移行する。同様に分キー８の入力が連続して行われた場合には、ステップＳ６３でフラグＦＦは１となっているためステップＳ４１の現在時刻設定ルーチンＣに移行する。なお、現在時刻設定ルーチンＣは実施の形態１と同じものであるので説明を省略する。
【００２７】
そして、タイマＴ１が例えば２秒以上であるかどうかが判定される（ステップＳ６７）。２秒以内の場合は、ステップＳ５４に戻って同じ工程を繰り返す。タイマＴ１が２秒以上となった時、及びステップＳ６９でフラグＦＪは０に戻され（ステップＳ６８）、フラグＦＦは０に戻され（ステップＳ６９）、時キー７または分キー８の入力は無効とされる。
【００２８】
このようにして時キー７または分キー８のどちらか一方のキーが、２秒以内に２回入力されたときに現在時刻の設定が開始される。
【００２９】
以上のように本実施の形態では、時キー７または分キー８のどちらか一方のキーを２秒以内に２回操作されたときに現在時刻を設定するようにしたため、掃除などの誤った操作による現在時刻セットの防止がさらに向上され、拭き掃除などの手入れの際に誤って操作された場合の現在時刻の設定が防止でき、またキーを押し続けることなくなって操作時間が短くなり、さらに時刻を変更する際には少ない操作回数で変更でき、操作性に優れた調理器を得ることができる。
【００３０】
実施の形態３．
図６は本発明の実施の形態３に係る炊飯器の制御ブロック図、図７はこの炊飯器の動作を示すフローチャート図、図８はブザーの動作を示すタイムチャート図である。
【００３１】
炊飯器本体、操作パネルは、実施の形態１で示した図１、図２と同じであるので説明を省略する。
図６と図３を比べて明らかなように、本実施の形態に係る制御手段１５では、新たにキーの入力を報知するブザー２１を追加している。
【００３２】
次に図７に示すフローチャートをもとに動作を説明する。
炊飯器に電源を投入することによりメインルーチンＥが開始する（ステップＳ７１）。フラグＦを０に設定する（ステップＳ７２）。フラグＦは、時キー７または分キー８が過去の所定時間内に押されたかどうかを判定するための目印である。
炊飯キー１０のＯＮ／ＯＦＦが判定される（ステップＳ７３）。炊飯キー１０がＯＮの場合、ブザー２１はＢＺ１で鳴動される（ステップＳ７４）。ここでＢＺ1は図８（ａ）に示すように０．１秒間ブザーを鳴動する信号で、「ピッ」と発音される。
【００３３】
次に炊飯動作が開始され（ステップＳ７５）、制御手段１５は炊飯ＬＥＤ１３を点灯すると共に、温度検出手段１６の信号に基づきに加熱制御手段１７を制御して炊飯を実行する（図示せず）。
一方、炊飯キーがＯＮの場合は、次のステップで予約キー９のＯＮ／ＯＦＦが判定される（ステップＳ７６）。予約キー９がＯＮの場合、ブザー２１はＢＺ１で鳴動され（ステップＳ７７）、ステップＳ２１から始まる別ルーチンで構成される予約時刻セットルーチンＢに移行する。この予約時刻セットルーチンＢは実施の形態１と同じものであるので説明を省略する。
【００３４】
また、予約キー９がＯＦＦの場合は、時キー７または分キー８のＯＮ／ＯＦＦが判定される（ステップＳ７８）。時キー７または分キー８がＯＮの場合、フラグＦが１であるかどうかが判定される（ステップＳ７９）。この場合、フラグは０であるため、次のステップに進み、ブザー２１はＢＺ１で鳴動される（ステップＳ８１）。
次にタイマＴ１を０に設定する（ステップＳ８２）と共に、フラグＦを１に設定する（ステップＳ８３）。タイマＴ１が例えば２秒以上であるかどうかが判定される（ステップＳ８４）。２秒未満の場合は、ステップＳ７３に戻って同じ工程を繰り返す。ここで再度、時キー７または分キー８がＯＮの場合、フラグＦが１であるかどうかが判定される（ステップＳ７９）。ここでは１であるため、ブザー２１がＢＺ２で鳴動される（ステップＳ８０）。
【００３５】
ＢＺ２は図８（ｂ）に示すように０．１秒間ブザーを鳴動、０．１秒間停止、０．１秒間鳴動する信号で、「ピピッ」と発音され、ステップＳ４１の現在時刻設定ルーチンＣへと移行する。
時キー７または分キー８の再入力が無い場合は、ステップＳ７３からステップＳ８５の処理が繰り返され、タイマＴ１が２秒以上となった時、フラグＦは０に戻され、ステップＳ１１における時キー７または分キー８の入力は無効とされる（ステップＳ８５）。このように時キー７または分キー８が２秒未満に２回入力されたときに現在時刻設定が開始される。なお、現在時刻設定ルーチンＣは実施の形態１と同じものであるので説明を省略する。
【００３６】
以上のように本実施の形態３では、時キー７または分キー８を２秒以内に２回操作されたときに現在時刻を設定するようにしたため、拭き掃除などの手入れの際に誤って操作されても現在時刻の設定が行われず、またキーを押し続けることなくなって操作時間が短くなり、さらに時刻を変更する際には少ない操作回数で変更でき、操作性に優れ、さらに現在時刻設定を行う操作がされた場合にのみ「ピピッ」とブザーを鳴動し、それ以外の操作では「ピッ」とブザーを鳴動することにより現在時刻設定が行えることを明確に報知することができるため操作の間違いのない調理器を得ることができる。
【００３７】
また、ここではブザー２１の鳴動時間を変える構成としたが、周波数を変えることで音の高さを変えても良く、またメロディ等により報知するようにしても良い。
【００３８】
なお、これら実施の形態では、２秒以内に２回操作された時に、現在時刻が変更できる場合について説明してきたが、これに限定するものではない。一般に、所定時間内に２回以上の所定回数操作された時に現在時刻が変更できるように構成すれば良い。
【００３９】
【発明の効果】
本発明は、以上説明したように構成されているので、以下に示すような効果を奏する。
【００４０】
時キー７または分キー８を所定の時間内に所定回数操作された時に現在時刻を設定するようにしたので、拭き掃除などの手入れの際に誤ってキーが押されても現在時刻の変更が行われず、また時刻変更が短時間で済む、操作し易い調理器を得ることができる。
【００４１】
また、時キー７または分キー８の内のどちらか一方のキーを所定の時間内に所定の回数操作された時に現在時刻を設定するようにしたため、拭き掃除などの手入れの際に誤ってキーが押されても現在時刻の変更が行われず、また時刻変更が短時間で済む、操作がよりし易い調理器を得ることができる。
【００４２】
さらに、現在時刻を設定する操作がなされた時にのみ、それ以外と異なる報知音を発するようにしたので、現在時刻の設定を明確に報知することができ、操作の間違いのない調理器を得ることができる。
【図面の簡単な説明】
【図１】本発明の実施の形態１から３に係る炊飯器の横断面図である。
【図２】本発明の実施の形態１から３に係る炊飯器の操作パネルを示した図である。
【図３】本発明の実施の形態１及び２に係る炊飯器の制御ブロック図である。
【図４】本発明の実施の形態１に係る炊飯器の動作を示すフローチャート図である。
【図５】本発明の実施の形態２に係る炊飯器の動作を示すフローチャート図である。
【図６】本発明の実施の形態３に係る炊飯器の制御ブロック図である。
【図７】本発明の実施の形態３に係る炊飯器の動作を示すフローチャート図である。
【図８】本発明の実施の形態３に係る炊飯器の動作をブザーのタイムチャート図である。
【図９】従来の炊飯器の制御ブロック図である。
【図１０】従来の炊飯器の動作を示すフローチャート図である。
【符号の説明】
７．時キー、８．分キー、９．予約キー、１２．液晶表示器、１８．現在時刻設定手段、１９．予約時刻設定手段、２１．ブザー
【図１】
0003668809.tif 000002
【図２】
0003668809.tif 000003
【図３】
0003668809.tif 000004
【図４】
0003668809.tif 000005
【図５】
0003668809.tif 000006
【図６】
0003668809.tif 000007
【図７】
0003668809.tif 000008
【図８】
0003668809.tif 000009
【図９】
0003668809.tif 000010
【図１０】
0003668809.tif 000011